(57)【要約】一般式（1）：Li1+x(M1yM2zMn1-y-z)1-xO2      （1）［式中、M1はFe及び／又はNiを示す。M2はTi及び／又はGeを示す。x、y及びzは、0<x<1/3、0≦y≦0.4、0<z≦0.3を示す。］で表され、且つ、単斜晶層状岩塩型構造又は六方晶層状岩塩型構造の結晶相を含むリチウムマンガン系複合酸化物は、資源的な制約が少なく安価な元素を使用するとともに、リチウムイオン二次電池用正極材料に用いた場合に、高い容量を有し、高い放電電圧を有し、且つ、充放電サイクル時の充放電曲線形状の相似性を維持できるために長期間のサイクル特性に優れる新規な材料である。
2018066633.tif 000002
【特許請求の範囲】
【請求項１】
一般式（1）：
Li1+x(M1yM2zMn1-y-z)1-xO2      （1）
［式中、M1はFe及び／又はNiを示す。M2はTi及び／又はGeを示す。x、y及びzは、0<x<1/3、0≦y≦0.4、0<z≦0.3を示す。］
で表され、且つ、
単斜晶層状岩塩型構造又は六方晶層状岩塩型構造の結晶相を含むリチウムマンガン系複合酸化物。
【請求項２】
前記一般式（1）において、M1がNiを含有する、請求項１に記載のリチウムマンガン系複合酸化物。
【請求項３】
単斜晶層状岩塩型構造の結晶相のみからなる、請求項１又は２に記載のリチウムマンガン系複合酸化物。
【請求項４】
請求項１〜３のいずれかに記載のリチウムマンガン系複合酸化物の製造方法であって、
（1）マンガン化合物と、鉄化合物及びニッケル化合物よりなる群から選ばれる少なくとも1種の化合物とを含む混合物を、アルカリ性として沈殿物を形成する工程、
（2）工程1で得られた沈殿物に湿式酸化処理を施して熟成させる工程、
（3）工程2で得られた熟成物を、リチウム化合物を含む原料化合物の共存下に、加熱する工程
をこの順に備える、製造方法。
【請求項５】
前記工程1における混合物が、さらに、チタン化合物を含む、請求項４に記載の製造方法。
【請求項６】
前記工程3における原料化合物が、さらに、ゲルマニウム化合物を含む、請求項４又は５に記載の製造方法。
【請求項７】
前記工程3が、前記工程2で得られた熟成物と、前記原料化合物と混合した後に加熱する工程である、請求項４〜６のいずれかに記載の製造方法。
【請求項８】
前記工程3における加熱が、大気中で加熱した後に、大気中又は不活性雰囲気下で再度加熱する工程である、請求項４〜７のいずれかに記載の製造方法。
【請求項９】
請求項１〜３のいずれかに記載のリチウムマンガン系複合酸化物からなるリチウムイオン二次電池用正極材料。
【請求項１０】
請求項９に記載のリチウムイオン二次電池用正極材料を構成要素とするリチウムイオン二次電池。
【発明の詳細な説明】
【技術分野】
【０００１】
本発明は、チタン及び／又はゲルマニウム置換リチウムマンガン系複合酸化物及びその製造方法に関する。
【背景技術】
【０００２】
現在、我が国において、携帯電話、スマートフォン、ノートパソコン、タブレット型パソコン等のポータブル機器に搭載されている二次電池のほとんどは、リチウムイオン二次電池である。リチウムイオン二次電池は、今後、電気自動車、電力負荷平準化システム等の大型電池としても実用化されつつあり、その重要性はますます高まっている。【０００３】
現在、リチウムイオン二次電池においては、正極材料としてはリチウム含有遷移金属酸化物、負極材料としては黒鉛等の炭素材料が使用されている。特に、正極材料において可逆的に脱離（充電に相当）、挿入（放電に相当）するリチウムイオン量が電池の容量を決定づけ、脱離及び挿入時の電圧が電池の作動電圧を決定づけるために、電池の容量及び動作電圧は正極によって決定づけられる。さらに、電池の構成部材コストは正極活物質が最も高く、正極材料の選択はリチウムイオン二次電池の開発において最も重要である。【０００４】
このため、リチウムイオン二次電池の用途拡大及び大型化に伴い、正極材料の一層の需要増加が予想される。しかしながら、正極材料として通常使用されるコバルト酸リチウムは、希少金属であるコバルトを多量に含むために、リチウムイオン二次電池の素材コストを上昇させる要因の一つとなっている。さらに、現在コバルト資源の約20%が電池産業に用いられていることを考慮すれば、LiCoO2からなる正極材料のみでは今後の需要拡大に対応することは困難と考えられる。このため、特に、自動車用途等の大型リチウムイオン二次電池に用いるためには、資源的に豊富な元素を用いた酸化物正極材料が求められている。【０００５】
現在、より安価で資源的に制約の少ない正極材料として、本発明者らは、リチウムマンガン酸化物（Li2MnO3）とリチウムフェライトとからなる層状岩塩型構造の固溶体（Li1+x(FeyMn1-y)1-xO2(0<x<1/3, 0<y<1)、以下「鉄含有Li2MnO3」と言うこともある）が、室温での充放電試験においてはリチウムコバルト酸化物並の4V近い平均放電電圧を有することを見出している（例えば、特許文献１参照)。【０００６】
また、本発明者らは、鉄とともに資源的に豊富なニッケルを含有するリチウムマンガン酸化物（鉄及びニッケル含有Li2MnO3等）が、4V領域のサイクル劣化を著しく改善できることを見出している（例えば、特許文献２参照）。【０００７】
さらに、本発明者らは、鉄とともに資源的に豊富で安価なチタンを含有するリチウムマンガン酸化物（チタン含有Li2MnO3、鉄及びチタン含有Li2MnO3等）が、高容量を示し、特に、特定の化学組成、遷移金属イオン分布において、室温における高電流密度下での放電特性や低温での放電特性に優れることを見出している（例えば、特許文献３参照）。【０００８】
以上の通り、リチウムコバルト系正極材料に代わり得るリチウムマンガン系正極材料について種々の報告がなされているが、より一層の充放電特性改善が望まれている。
【先行技術文献】
【特許文献】
【０００９】
【特許文献１】特開２００２−０６８７４８号公報
【特許文献２】特開２００３−０４８７１８号公報
【特許文献３】特開２００８−０６３２１１号公報
【発明の概要】
【発明が解決しようとする課題】
【００１０】
しかしながら、特許文献１〜２のリチウムマンガン系複合酸化物を使用した場合には、充放電を繰り返すことにより、層状岩塩型構造の結晶相から徐々にスピネル型構造の結晶相又はリチウム過剰結晶相に変化するために、それぞれ放電時3.5V付近で急激な電位低下が見られ、放電時2.2V付近で付加的な容量の出現が見られる。工業的には、100サイクルや1000サイクル経過後であっても充放電曲線形状を維持できることが好ましいが、この手法ではそれ以前に充放電特性の低下が見られる。このため、特許文献１〜２のリチウムマンガン系複合酸化物は、これら2種類の結晶構造転移によって充放電曲線形状が著しく変化し、充放電サイクル時の充放電曲線の相似性が維持できないために実用上好ましくない。【００１１】
また、特許文献３のリチウムマンガン系複合酸化物は、放電電圧が低く、充放電曲線ヒステリシスも大きくなってしまう。【００１２】
本発明は、上記した従来技術の現状に鑑みてなされたものであり、資源的な制約が少なく安価な元素を使用するとともに、リチウムイオン二次電池用正極材料に用いた場合に、高い容量を有し、高い放電電圧を有し、且つ、充放電サイクル時の充放電曲線形状の相似性を維持できるために長期間のサイクル特性に優れる新規な材料を提供することを主な目的とする。
【課題を解決するための手段】
【００１３】
本発明者らは、上記した目的を達成すべく鋭意研究を重ねてきた。その結果、特定量の鉄及び／又はニッケルを含むLi2MnO3型複合酸化物に、さらに、特定量のチタン及び／又はゲルマニウムを固溶させた複合酸化物は、資源的な制約が少なく安価な元素を使用しているとともに、リチウムイオン二次電池用正極材料に用いた場合に、高い容量を有し、高い放電電圧を有し、且つ、充放電サイクル時の充放電曲線形状の相似性を維持できるために長期間のサイクル特性に優れることを見出した。本発明者らは、このような知見に基づき、さらに研究を重ね、本発明を完成した。即ち、本発明は、以下の構成を包含する。
項１．一般式（1）：
Li1+x(M1yM2zMn1-y-z)1-xO2      （1）
［式中、M1はFe及び／又はNiを示す。M2はTi及び／又はGeを示す。x、y及びzは、0<x<1/3、0≦y≦0.4、0<z≦0.3を示す。］
で表され、且つ、
単斜晶層状岩塩型構造又は六方晶層状岩塩型構造の結晶相を含むリチウムマンガン系複合酸化物。
項２．前記一般式（1）において、M1がNiを含有する、項１に記載のリチウムマンガン系複合酸化物。
項３．単斜晶層状岩塩型構造の結晶相のみからなる、項１又は２に記載のリチウムマンガン系複合酸化物。
項４．項１〜３のいずれかに記載のリチウムマンガン系複合酸化物の製造方法であって、
（1）マンガン化合物と、鉄化合物及びニッケル化合物よりなる群から選ばれる少なくとも1種の化合物とを含む混合物を、アルカリ性として沈殿物を形成する工程、
（2）工程1で得られた沈殿物に湿式酸化処理を施して熟成させる工程、
（3）工程2で得られた熟成物を、リチウム化合物を含む原料化合物の共存下に、加熱する工程
をこの順に備える、製造方法。
項５．前記工程1における混合物が、さらに、チタン化合物を含む、項４に記載の製造方法。
項６．前記工程3における原料化合物が、さらに、ゲルマニウム化合物を含む、項４又は５に記載の製造方法。
項７．前記工程3が、前記工程2で得られた熟成物と、前記原料化合物と混合した後に加熱する工程である、項４〜６のいずれかに記載の製造方法。
項８．前記工程3における加熱が、大気中で加熱した後に、大気中又は不活性雰囲気下で再度加熱する工程である、項４〜７のいずれかに記載の製造方法。
項９．項１〜３のいずれかに記載のリチウムマンガン系複合酸化物からなるリチウムイオン二次電池用正極材料。
項１０．項９に記載のリチウムイオン二次電池用正極材料を構成要素とするリチウムイオン二次電池。
【発明の効果】
【００１４】
本発明によれば、資源的な制約が少なく安価な元素を使用しつつ、リチウムイオン二次電池用正極材料に用いた場合に、高い容量を有し、高い放電電圧を有し、且つ、充放電サイクル時の充放電曲線形状の相似性を維持できるために長期間のサイクル特性に優れる新規な材料を提供することができる。【００１５】
特に、本発明のリチウムマンガン系複合酸化物は、高電位までの充電時においても化学的に安定であるため、長期サイクル時においても優れた充放電特性を発揮することができる。
【図面の簡単な説明】
【００１６】
【図１】実施例1で得られた試料の実測（+）及び計算（実線）X線回折パターンを示す。
【図２】実施例1で得られた試料を正極材料とし、金属リチウムを負極材料としたリチウム二次電池の充放電曲線を示す。
【図３】比較例1で得られた試料の実測（+）及び計算（実線）X線回折パターンを示す。
【図４】比較例1で得られた試料を正極材料とし、金属リチウムを負極材料としたリチウム二次電池の充放電曲線を示す。
【図５】実施例2で得られた試料の実測（+）及び計算（実線）X線回折パターンを示す。
【図６】実施例2で得られた試料を正極材料とし、金属リチウムを負極材料としたリチウム二次電池の充放電曲線を示す。
【図７】比較例2で得られた試料の実測（+）及び計算（実線）X線回折パターンを示す。
【図８】比較例2で得られた試料を正極材料とし、金属リチウムを負極材料としたリチウム二次電池の充放電曲線を示す。
【図９】実施例3で得られた試料の実測（+）及び計算（実線）X線回折パターンを示す。
【図１０】実施例3で得られた試料を正極材料とし、金属リチウムを負極材料としたリチウム二次電池の充放電曲線を示す。
【図１１】比較例3で得られた試料の実測（+）及び計算（実線）X線回折パターンを示す。
【図１２】比較例3で得られた試料を正極材料とし、金属リチウムを負極材料としたリチウム二次電池の充放電曲線を示す。
【図１３】実施例4で得られた試料の実測（+）及び計算（実線）X線回折パターンを示す。
【図１４】実施例4で得られた試料を正極材料とし、金属リチウムを負極材料としたリチウム二次電池の充放電曲線を示す。
【図１５】比較例4で得られた試料の実測（+）及び計算（実線）X線回折パターンを示す。
【図１６】比較例4で得られた試料を正極材料とし、金属リチウムを負極材料としたリチウム二次電池の充放電曲線を示す。
【図１７】実施例5で得られた試料の実測（+）及び計算（実線）X線回折パターンを示す。
【図１８】実施例5で得られた試料を正極材料とし、金属リチウムを負極材料としたリチウム二次電池の充放電曲線を示す。
【発明を実施するための形態】
【００１７】
１．リチウムマンガン系複合酸化物
本発明のリチウムマンガン系複合酸化物は、一般式（1）：
Li1+x(M1yM2zMn1-y-z)1-xO2      （1）
［式中、M1はFe及び／又はNiを示す。M2はTi及び／又はGeを示す。x、y及びzは、0<x<1/3、0≦y≦0.4、0<z≦0.3を示す。］
で表される化合物であって、岩塩型構造を基本として、単斜晶層状岩塩型構造又は六方晶層状岩塩型構造の結晶相を含んでいる。
【００１８】
単斜晶層状岩塩型構造は、空間群：
【００１９】
【数１】
2018066633.tif 000003
【００２０】
で帰属させることができる結晶相であり、具体的には、容量及びサイクル特性の観点から、Li2MnO3に類似する単位胞を有する結晶相のみからなるLi2MnO3型単斜晶層状岩塩型構造の結晶相であることが好ましい。
【００２１】
一方、六方晶層状岩塩型構造は、空間群：
【００２２】
【数２】
2018066633.tif 000004
【００２３】
で帰属させることができる結晶相であり、具体的には、容量及びサイクル特性の観点から、LiNiO2に類似する単位胞を有する結晶相のみからなるLiNiO2型六方晶層状岩塩型構造の結晶相であることが好ましい。
【００２４】
本発明のリチウムマンガン系複合酸化物は、上記の単斜晶層状岩塩型構造及び六方晶層状岩塩型構造の結晶相のうち、一方のみを有していてもよいし、双方を有していてもよい。いずれの場合においても、本発明のリチウムマンガン系複合酸化物は、リチウムイオン二次電池用正極材料に用いた場合に、高い容量を有し、高い放電電圧を有し、且つ、充放電サイクル時の充放電曲線形状の相似性を維持できるために長期間のサイクル特性に優れる材料である。
【００２５】
本発明のリチウムマンガン系複合酸化物が、上記の単斜晶層状岩塩型構造及び六方晶層状岩塩型構造の結晶相の双方を有する場合、各結晶相の割合は特に制限されず、通常、層状岩塩型構造の結晶相の総量を100重量%として、単斜晶層状岩塩型構造の結晶相は1〜99重量%（特に5〜95重量%、さらに10〜90重量%）、六方晶層状岩塩型構造の結晶相は1〜99重量%（特に5〜95重量%、さらに10〜90重量%）が好ましい。
【００２６】
一方、本発明のリチウムマンガン系複合酸化物は、上記の単斜晶層状岩塩型構造又は六方晶層状岩塩型構造の結晶相を含んでいればよく、陽イオン分布の異なる他の岩塩型構造（例えば、立方晶岩塩型構造等）の結晶相を含む混合相であってもよい。また、本発明のリチウムマンガン系複合酸化物が、上記の単斜晶層状岩塩型構造及び／又は六方晶層状岩塩型構造の結晶相のみからなる材料であってもよい。
【００２７】
後述する本発明の製造方法によれば、得られるリチウムマンガン系複合酸化物は、上記の単斜晶層状岩塩型構造及び／又は六方晶層状岩塩型構造の結晶相のみからなる材料が形成されやすいが、例えば、600℃以下の低温で合成する場合には、立方晶岩塩型構造の結晶相が含まれることがある。この立方晶岩塩型構造の結晶相も、優れた充放電特性を発揮する結晶構造であるため、この結晶構造を有していても何ら差し支えない。
【００２８】
ただし、本発明においては、単斜晶層状岩塩型構造及び六方晶層状岩塩型構造の結晶相を有することにより、リチウムイオン二次電池用正極材料に用いた場合に、高い容量を有し、高い放電電圧を有し、且つ、充放電サイクル時の充放電曲線形状の相似性を維持できるために長期間のサイクル特性に優れる材料であることから、単斜晶層状岩塩型構造及び六方晶層状岩塩型構造の結晶相の存在割合は高いことが好ましい。このような観点から、本発明のリチウムマンガン系複合酸化物が、陽イオン分布の異なる他の岩塩型構造（立方晶岩塩型構造等）を有する場合、層状岩塩型構造の結晶相との割合は、通常、本発明のリチウムマンガン系複合酸化物の総量を100重量%として、層状岩塩型構造の結晶相は1〜99重量%（特に10〜95重量%、さらに50〜90重量%）、他の岩塩型構造（立方晶岩塩型構造等）の結晶相は1〜99重量%（特に5〜90重量%、さらに10〜50重量%）が好ましい。
【００２９】
本発明のリチウムマンガン系複合酸化物は、上記した一般式（1）で表されるとおり、Li、Mn及びM2を必須の元素として含んでおり、さらに、必要に応じてM1を固溶させている。
【００３０】
本発明のリチウムマンガン系複合酸化物がM1を含んでいる場合（M1を固溶させている場合）、固溶させるM1イオン量（y値；M1/(M1+M2+Mn)）は、Liイオン以外の金属イオンの総量の40%以下（0<y≦0.4）、好ましくは5〜35%（0.05≦y≦0.35）、より好ましくは10〜30%（0.1≦y≦0.3）である。M1イオンの固溶量（y値）が過剰となる場合には、相対的にMn量が少なくなることから、組成式当たりのリチウム含有量が低下するために充放電容量が著しく低下する。一方、M1イオンの固溶量（y値）の下限値を上記範囲とすることで、放電電位をより上昇させ、ヒステリシスをより低減することができる。
【００３１】
本発明のリチウムマンガン系複合酸化物がM1を含んでいる場合（M1を固溶させている場合）、Li、Mn等を置換する形で、層状岩塩型構造中に存在していると思われるが、Fe及びNiの片方のみを含んでいてもよいし、Fe及びNiの双方を含んでいてもよい。より詳細には、NiよりもFeのほうが安価ではあるが、Niのほうが酸化還元電位が高いために放電電圧を高くしやすいため、高電位が求められる用途（自動車用途等の大型リチウムイオン二次電池等）には適している。このため、Fe及びNiの使用量については、用途に応じて適宜設定することが好ましい。例えば、Fe及びNi の双方を含む場合、M1元素の総量を100重量%として、Feは10〜90重量%（特に30〜70重量%、さらに40〜60重量%）が好ましい。なお、Niの使用量は、Feの使用量との合計が100重量%となるように設定される。
【００３２】
本発明のリチウムマンガン系複合酸化物中に固溶させるM2イオン量（z値；M2/(M1+M2+Mn)）は、Liイオン以外の金属イオンの総量の30%以下（0<z≦0.3）、好ましくは1〜25%（0.01≦z≦0.25）である。なお、M2としてTiを使用する場合は、M2イオン量は10〜25%（0.10≦z≦0.25）が好ましく、Geを使用する場合は、M2イオン量は1〜10%（0.01≦z≦0.10）が好ましい。また、M2としてTi及びGeの双方を使用する場合は、その割合に応じて適宜設定することが好ましい。M2イオンの固溶量（z値）が過剰となる場合には、M2イオンの電気化学的活性度の低さから充放電容量が著しく低下する。一方、M2イオンの固溶量（z値）が少なすぎると充放電サイクル時の充放電曲線形状の相似性を維持しにくいために長期間充放電サイクルを行った場合のサイクル特性に劣る。
【００３３】
本発明のリチウムマンガン系複合酸化物におけるM2もM1と同様に、Li、Mn等を置換する形で、層状岩塩型構造中に存在していると思われるが、Ti及びGeの片方のみを含んでいてもよいし、Ti及びGeの双方を含んでいてもよい。より詳細には、GeよりもTiのほうが安価ではあるが、Geは少ない元素量で優れた効果を発揮することができるためGeを使用した場合には原料の使用量を低減することもできる。このため、Ti及びGeの使用量については、用途に応じて適宜設定することが好ましい。例えば、Ti及びGe の双方を含む場合、M2元素の総量を100重量%として、Tiは10〜90重量%（特に30〜70重量%、さらに40〜60重量%）が好ましい。なお、Geの使用量は、Tiの使用量との合計が100重量%となるように設定される。
【００３４】
本発明リチウムマンガン系複合酸化物に固溶させるM1とM2の合計量（y+z）は、前記一般式（1）において、70%以下（0＜y+z≦0.7）が好ましく、10〜60%（0.1≦y+z≦0.6）がより好ましく、20〜50%（0.2≦y+z≦0.5）がさらに好ましく、25〜45%（0.25≦y+z≦0.45）が特に好ましい。これにより、リチウムイオン二次電池用正極材料に用いた場合に、容量をより高くし、放電電圧をより高くし、充放電サイクル時の充放電曲線形状の相似性を維持しやすくできるために長期間のサイクル特性をより優れたものとすることができる。
【００３５】
また、本発明のリチウムマンガン系複合酸化物において、単斜晶層状岩塩型構造又は六方晶層状岩塩型構造の結晶相を保つことができる限り、Liイオン量（x）は、遷移金属の平均価数によって0と1/3の間の値をとることができる。通常、0.100〜0.300が好ましく、0.200〜0.280がより好ましく、0.230〜0.270がさらに好ましい。
【００３６】
さらに、本発明のリチウムマンガン系複合酸化物は、充放電特性に重大な影響を及ぼさない範囲の水酸化リチウム、炭酸リチウム、鉄化合物、ニッケル化合物、チタン化合物、ゲルマニウム化合物、マンガン化合物、これらの化合物の水和物；リチウム、鉄、ニッケル、チタン及びゲルマニウムの2種以上を含む複合金属化合物等の不純物相を含んでいてもよい。単斜晶層状岩塩型構造、六方晶層状岩塩型構造及び陽イオン分布の異なる他の岩塩型構造（立方晶岩塩型構造等）の結晶相以外の不純物相の量については、本発明の効果を損なわない範囲とすることができ、例えば、本発明のリチウムマンガン系複合酸化物中に0〜10重量%が好ましく、0〜5重量%がより好ましい。
【００３７】
以上のような条件を満たす本発明のリチウムマンガン系複合酸化物は、長期の充放電サイクル時においても、充放電曲線形状の相似性を維持することができ、層状岩塩型構造の結晶相からスピネル型構造の結晶相への相転移に基づく放電時3.5 V付近での急激な電位低下と、層状岩塩型構造の結晶相からリチウム過剰結晶相への相転移に基づく放電時2.2 V付近での付加的な容量の出現とをいずれも抑制できるため、本発明のリチウムマンガン系複合酸化物は、高容量及び高い放電電圧を有するのみならず、長期間の充放電サイクル時においても優れたサイクル特性を有する。このため、本発明のリチウムマンガン系複合酸化物は、小型民生用リチウムイオン二次電池のみならず車載用等の大型リチウムイオン二次電池用正極材料として極めて有用である。
【００３８】
２．リチウムマンガン系複合酸化物の製造方法
本発明のリチウムマンガン系複合酸化物は、通常の複合酸化物の合成法を用いて合成することができる。具体的には、共沈−焼成法、共沈−水熱−焼成法、固相反応法等により合成することが可能である。特に優れた充放電特性を有する複合酸化物を容易に製造できる観点から、共沈−焼成法を採用することが好ましい。
【００３９】
例えば、共沈−焼成法を採用する場合は、例えば、
（1）マンガン化合物と、鉄化合物及びニッケル化合物よりなる群から選ばれる少なくとも1種の化合物と必要に応じてチタン化合物とを含む混合物を、アルカリ性として沈殿物を形成する工程（以下、工程1と言うこともある）、
（2）工程1で得られた沈殿物に湿式酸化処理を施して熟成させる工程（以下、工程2と言うこともある）、
（3）工程2で得られた熟成物を、リチウム化合物及び必要に応じてゲルマニウム化合物を含む原料化合物の共存下に、加熱する工程（以下、工程3と言うこともある）をこの順に備える製造方法により、本発明のリチウムマンガン系複合酸化物を得ることができる。
【００４０】
（2−1）工程1
工程1では、マンガン化合物と、鉄化合物及びニッケル化合物よりなる群から選ばれる少なくとも1種の化合物とを含む混合物を、アルカリ性として沈殿物を形成する。具体的には、マンガン化合物と、鉄化合物及びニッケル化合物よりなる群から選ばれる少なくとも1種の化合物とを含む混合物の溶液からアルカリ性として沈殿物を形成することが簡便である。
【００４１】
なお、最終的に得ようとする本発明のリチウムマンガン系複合酸化物において、Ti元素を含んでいる場合は、マンガン化合物と、鉄化合物及びニッケル化合物よりなる群から選ばれる少なくとも1種の化合物と、チタン化合物とを含む混合物を、アルカリ性として沈殿物を形成する工程とすることが好ましい。具体的には、マンガン化合物と、鉄化合物及びニッケル化合物よりなる群から選ばれる少なくとも1種の化合物と、チタン化合物とを含む混合物の溶液をアルカリに加えて沈殿物を形成することが簡便である。
【００４２】
マンガン化合物、鉄化合物、ニッケル化合物及びチタン化合物としては、これらの化合物を含む混合水溶液を形成できる成分が好ましい。水溶性の化合物を用いることが好ましい。このような水溶性化合物の具体例としては、例えば、マンガン、鉄、ニッケル又はチタンの塩化物、硝酸塩、硫酸塩、シュウ酸塩、酢酸塩等の水溶性塩；水酸化物等を挙げることができる。また、チタン酸マンガン、チタン酸ニッケル、亜マンガン酸ニッケル、マンガン酸鉄等の複数の金属種を含む化合物を使用することもできる。マンガン化合物としては、過マンガン酸カリウム等の過マンガン酸塩もリチウムイオン以外の金属分布の均一化を図ることができ、充放電特性をより改善することができる。これらの水溶性化合物は、無水物及び水和物のいずれも採用し得る。また、マンガン、鉄、ニッケル又はチタンの酸化物、金属等の非水溶性化合物であっても、例えば、硫酸、塩酸等の酸を用いて溶解させて水溶液として用いることが可能である。これらの各原料化合物は、各金属源について、それぞれ単独で使用することもでき、2種以上を組合せて使用することもできる。
【００４３】
マンガン化合物、鉄化合物、ニッケル化合物及びチタン化合物の混合割合は、目的とする本発明のリチウムマンガン系複合酸化物における各元素比と同様の元素比とし得る。
【００４４】
混合水溶液とする場合の各化合物の濃度については、特に限定的ではなく、均一な混合水溶液を形成でき、且つ円滑に共沈物を形成できるように適宜決めることができる。通常、マンガン化合物、鉄化合物、ニッケル化合物及びチタン化合物の合計濃度は、0.01〜5mol/L、特に0.1〜2mol/Lが好ましい。
【００４５】
混合水溶液とする場合の溶媒としては、水を単独で用いる他、メタノール、エタノール等の水溶性アルコールを含む水−アルコール混合溶媒を用いることもできる。水−アルコール混合溶媒を用いることにより、アルコールが不凍液として働き、0℃を下回る温度での沈殿生成が可能となる。低温での沈殿物形成を行うことにより、M1元素としてFeを含む場合の沈殿形成時に発生しやすいリチウムフェライト、マンガンフェライト等の不純物の生成をより抑制する、すなわちより遷移金属分布の均一な共沈物を得ることができる。また、水のみでは沈殿物が形成しにくい過マンガン酸カリウム等のマンガン源も採用できるために原料の選択の幅がより広がる。アルコールの使用量は、目的とする沈殿生成温度等に応じて適宜決めることができ、通常、水100重量部に対して、50重量部以下（例えば10〜50重量部）の使用量とすることが適当である。
【００４６】
前記混合物（特に前記混合水溶液）をアルカリ性とすることで、沈殿物（共沈物）を生成させることができる。良好な沈殿物を形成する条件は、前記混合物（特に前記混合水溶液）に含まれる各化合物の種類、濃度等によって異なるので一概に規定出来ないが、通常、pH8以上（例えばpH8〜14）が好ましく、pH11以上（例えばpH11〜14）がより好ましい。
【００４７】
前記混合物（特に前記混合水溶液）をアルカリ性にする方法については、特に限定はなく、通常は、均一な沈殿物の形成のために、アルカリを含む水溶液に前記混合物（特に前記混合水溶液）を添加する方法によっても沈殿物（共沈物）を形成することができる。また前記混合水溶液にアルカリ又はアルカリを含む水溶液を添加することによっても沈殿を得ることができる。
【００４８】
前記混合物（特に前記混合水溶液）をアルカリ性にするために用いるアルカリとしては、例えば、水酸化カリウム、水酸化ナトリウム、水酸化リチウム等のアルカリ金属水酸化物、アンモニア等を用いることができる。これらのアルカリを水溶液として用いる場合には、例えば、濃度が0.1〜20mol/L、特に0.3〜10mol/Lの水溶液として用いることができる。また、アルカリは、上記した金属化合物の混合水溶液と同様に、水溶性アルコールを含む水−アルコール混合溶媒に溶解することもできる。
【００４９】
沈殿生成の際には、前記混合物（特に前記混合水溶液）の温度を、通常、-50〜50℃、特に-20〜30℃とすることにより、M1としてFeを含む場合に反応時の中和熱発生に伴うスピネルフェライトの生成がより抑制され、また、微細且つ均質な沈殿物（共沈物）が形成されやすくなるために後述のリチウム化合物との反応性をより高め、本発明のリチウムマンガン系複合酸化物を合成しやすくなる。また、本工程で良好に沈殿物（共沈物）を形成させるためには、中和熱の発生をより抑制するため、アルカリに対して、前記混合物（特に前記混合水溶液）を少なくとも数時間かけて徐々に滴下していく方法が好ましい。この際の反応時間は長ければ長いほどよいが、実際には、1時間〜1日、特に2〜12時間が好ましい。
【００５０】
（2−2）工程2
上記工程1で沈殿物（共沈物）を形成した後には、沈殿物（共沈物）を湿式酸化により熟成する。具体的には、工程2では、工程1で得られた沈殿物（共沈物）に湿式酸化処理を施して熟成させる。より詳細には、上記工程1で得られた沈殿物（共沈物）を含むアルカリ水溶液に、コンプレッサー、酸素ガス発生器等で、酸素を含む気体を吹き込んでバブリング処理することにより熟成させることができる。
【００５１】
吹き込む気体には、一定量の酸素を含むことが好ましい。具体的には、吹き込むガスの10〜100体積%の酸素を含むことが好ましい。このような吹き込む気体としては、例えば、空気、酸素等が挙げられ、酸素が好ましい。
【００５２】
熟成温度は特に制限されず、沈殿物（共沈物）の湿式酸化処理を行い得る温度が好ましい。通常、0〜150℃が好ましく、10〜100℃がより好ましい。また、熟成時間も特に制限されず、沈殿物（共沈物）の湿式酸化処理を行い得る時間が好ましい。この熟成時間は長ければ長いほどよいが、実際には、0.5〜7日が好ましく、2〜4日がより好ましい。
【００５３】
得られた沈殿を必要に応じて蒸留水等で洗浄して、過剰のアルカリ成分、残留原料等を除去し、濾別することによって、沈殿を精製することも可能である。
【００５４】
（2−3）工程3
次いで、工程3では、工程2で得られた熟成物を、リチウム化合物を含む原料化合物の共存下に、加熱する。具体的には、工程2で得られた熟成物と、リチウム化合物を含む原料化合物とを含有する水溶液を、必要に応じてスラリーを形成して乾燥及び粉砕後、加熱（特に焼成）することが好ましい。
【００５５】
使用する水溶液における、上記工程2で得られた熟成物の含有量は、通常、水1 Lあたり100〜3000gが好ましく、500〜2000gがより好ましい。
【００５６】
リチウム化合物としては、例えば、塩化リチウム、ヨウ化リチウム、硝酸リチウム、酢酸リチウム、水酸化リチウム等の水溶性リチウム塩；炭酸リチウム等を用いることができる。これらのリチウム化合物は、単独で用いることもでき、2種以上を組合せて用いることもできる。また、リチウム化合物としては、無水物及び水和物のいずれも採用し得る。特に、本発明のリチウムマンガン系複合酸化物がGeを含む場合には、リチウム化合物として水酸化リチウムを用いれば、非水溶性ゲルマニウム化合物を溶解しやすくすることができるため好ましい。
【００５７】
リチウム化合物の使用量は、上記工程2で得られた熟成物と、後述のゲルマニウム化合物との合計量を基準とし、Li/(M1+M2)＝1〜5が好ましく、1.5〜3がより好ましい。
【００５８】
また、水溶液中のリチウム化合物の濃度は、通常、0.1〜10mol/Lが好ましく、1〜8mol/Lがより好ましい。
【００５９】
また、本発明のリチウムマンガン系複合酸化物がGeを含む場合には、原料化合物としてゲルマニウム化合物を使用することが好ましい。
【００６０】
ゲルマニウム化合物としては、塩化ゲルマニウム、ヨウ化ゲルマニウム等の水溶性ゲルマニウム化合物；酸化ゲルマニウム、金属ゲルマニウム等の非水溶性ゲルマニウム化合物等が挙げられる。非水溶性ゲルマニウム化合物を使用する場合は、ゲルマニウムが両性元素であることを活かし、酸又は前記したアルカリ等でゲルマニウム化合物を溶解させることにより、工程2で得た熟成物との反応性を向上させることが好ましい。なお、リチウム化合物として水酸化リチウムを使用する場合には、別途酸又はアルカリを使用せずとも、非水溶性ゲルマニウム化合物を溶解させることが可能である。
【００６１】
加熱後に洗浄処理を行う場合は、ゲルマニウムは洗い流される量が多いので、ゲルマニウム化合物の添加量（仕込み量）は得ようとする複合酸化物中の含有量より多くすることが好ましい。このような観点から、ゲルマニウム化合物の使用量は、上記工程2で得られた熟成物と、ゲルマニウム化合物との合計量を基準とし、Ge/(M1+M2)＝0.01〜0.5が好ましく、0.1〜0.4がより好ましい。
【００６２】
また、水溶液中のゲルマニウム化合物の濃度は、通常、0.05〜1.0mol/Lが好ましく、0.1〜0.7mol/Lがより好ましい。
【００６３】
工程2で得た熟成物と、リチウム化合物及び必要に応じてジルコニウム化合物との混合方法は特に制限されない。例えば、水溶性リチウム化合物の水溶液に、工程2で得た熟成物を添加し、撹拌して分散させた後に、別途作製した水溶性ゲルマニウム化合物の水溶液又は非水溶性ゲルマニウム化合物のアルカリ溶液を添加し、よく撹拌した後に、必要に応じて乾燥及び粉砕することが好ましい。
【００６４】
撹拌は、通常の方法を採用することができ、例えば、ミキサー、V型混合機、W型混合機、リボン混合機等の公知の混合機で撹拌することが好ましい。
【００６５】
乾燥する場合、乾燥条件は特に制限されない。乾燥温度は、例えば、20〜100℃が好ましく、30〜80℃がより好ましい。また、乾燥時間は、例えば、1時間〜5日が好ましく、12時間〜3日がより好ましい。
【００６６】
後の加熱処理の際に反応性を向上させるために、粉砕することが好ましい。粉砕の程度については、粗大粒子が含まれず、混合物が均一な色調となっていることが好ましい。粉砕する場合、通常の方法を採用することができ、例えば、振動ミル、ボールミル、ジェットミル等で粉砕することができる。また、粉砕を2回以上繰り返すこともできる。また、加熱処理は、加熱温度を段階的に上げて実施することもできる。
【００６７】
加熱処理は、通常、密閉容器（電気炉等）中で行うことが好ましい。
【００６８】
加熱条件は特に限定されるものではないが、充放電サイクル特性をより安定化させるために、最終加熱温度を750℃以上とすることが好ましい。また、加熱温度は、リチウムが揮発しにくいように、1000℃以下が好ましい。最終加熱温度は、特に、800〜950℃が好ましい。この範囲で加熱（特に焼成）することにより、より短時間の焼成で、高い容量及びより高い放電電圧を有するのみならず、長期間の充放電サイクル時においてもより優れたサイクル特性を有するリチウムマンガン系複合酸化物を得やすい。
【００６９】
加熱雰囲気（特に焼成雰囲気）も特に制限されない。最終加熱雰囲気を窒素、アルゴン等の不活性雰囲気又は還元性雰囲気とする場合は、試料の分解を抑制するため、あらかじめ、大気中、500〜750℃（特に550〜700℃）の低温で加熱（特に焼成）してから、不活性雰囲気又は還元性雰囲気での最終加熱（特に最終焼成）を行うことが好ましい。また、最終加熱雰囲気を大気中とする場合であっても、Li含有量、粉体特性等の制御をより精密に行うために、2段階の加熱（特に焼成）を行うこともできる。なお、最終加熱雰囲気を還元性雰囲気とする場合は、例えば、不活性雰囲気下において、有機物、炭素粉末等の存在下に焼成することによって、還元性雰囲気下における加熱処理（特に焼成）が可能である。
【００７０】
有機物としては、特に限定はなく、上記加熱温度（特に焼成温度）において分解して還元性雰囲気とすることができる炭素含有化合物が好ましい。特に、水溶性の有機物を用いる場合には、水溶液状態でリチウムマンガン系複合酸化物粉末と分散混合できるので有利である。このような有機物の具体例としては、例えば、ショ糖、ブドウ糖、デンプン、酢酸、クエン酸、シュウ酸、安息香酸、アミノ酢酸等を挙げることができる。
【００７１】
炭素粉末としては、例えば、有機物の熱分解によって得られた炭素粉末、例えば、黒鉛、アセチレンブラック等を用いることができる。
【００７２】
上記した有機物及び炭素粉末は、単独で用いることもでき、2種以上を組合せて用いることもできる。
【００７３】
有機物及び炭素粉末よりなる群から選ばれた少なくとも一種の成分の使用量は、リチウムマンガン系複合酸化物に対して、炭素のモル量換算で0.001〜5倍モルが好ましく、0.01〜1倍モルがより好ましい。水溶液として用いる場合には有機物等の濃度は、上記した使用量の範囲となるように適宜決めることができる。
【００７４】
加熱時間も特に制限されない。より詳細には、最終加熱温度における保持時間は10分〜24時間が好ましく、30分〜12時間がより好ましい。また、2段階の加熱処理を行う場合、1段階目の加熱温度における保持時間は10分〜24時間（特に30分〜12時間）が好ましく、2段階目の最終加熱温度における保持時間は10分〜24時間（特に30分〜12時間）が好ましい。
【００７５】
上記した方法で本発明のリチウムマンガン系複合酸化物を得た後、必要に応じて、過剰のリチウム化合物を除去するために、得られた焼成物を水洗処理、溶媒洗浄処理等に供することができる。その後、濾過を行い、例えば、80℃以上、好ましくは100℃以上で加熱乾燥することもできる。
【００７６】
さらに、必要に応じて、この加熱乾燥物を粉砕し、リチウム化合物及び有機物を加えて加熱（特に焼成）し、洗浄し、乾燥するという一連の操作を繰り返し行うことにより、リチウムマンガン系複合酸化物の優れた特性をより一層改善することもできる。
【００７７】
３．リチウムイオン二次電池
本発明のリチウムマンガン系複合酸化物を用いるリチウムイオン二次電池は、公知の手法により製造することができる。例えば、正極材料として、本発明のリチウムマンガン系複合酸化物を使用し、負極材料として、公知の金属リチウム、炭素系材料（活性炭、黒鉛等）、ケイ素、酸化ケイ素、Si−SiO系材料、リチウムチタン酸化物等を使用し、電解液として、公知のエチレンカーボネート、ジメチルカーボネート、ジエチルカーボネート等の1種以上からなる溶媒に過塩素酸リチウム、LiPF6等のリチウム塩を溶解させた溶液（有機電解液）、無機固体電解質（Li2S−P2S5系、Li2S−GeS2−P2S5系等）を使用し、さらにその他の公知の電池構成要素を使用して、常法に従って、リチウムイオン二次電池を組立てることができる。なお、本発明において、「リチウムイオン二次電池」とは、負極材料として金属リチウムを用いた「リチウム二次電池」も包含する概念である。また、本発明において、「リチウムイオン二次電池」とは、非水電解液を使用した「非水リチウムイオン二次電池」と固体電解質を使用した「全固体リチウムイオン二次電池」のいずれも包含する概念である。
【実施例】
【００７８】
以下、実施例および比較例を示し、本発明の特徴とするところを一層明確にするが、本発明は以下の実施例に限定されるものではない。【００７９】
［実施例1］
試料合成、並びに構造及び組成評価
硝酸鉄(III)9水和物10.10g、硝酸ニッケル(II)6水和物7.27g、30%硫酸チタン(IV)水溶液40.00g、塩化マンガン(II)4水和物29.69g（全量0.25mol、Fe: Ni: Ti: Mnモル比1: 1: 2: 6）を500mLの蒸留水に加え完全に溶解させた。別のビーカーに水酸化ナトリウム50gを秤量し、蒸留水500mLを添加して撹拌しつつ溶解させて水酸化ナトリウム水溶液を作製した。この水酸化ナトリウム水溶液をチタン製ビーカーに入れ、20℃に保たれた恒温槽内に静置した。次いでこの水酸化ナトリウム溶液に、上記金属塩水溶液を約3時間かけて徐々に滴下し、Fe−Ni−Ti−Mn沈殿物（共沈物）を形成させた。反応液が完全にアルカリ性になっていることを確認し、撹拌下に共沈物を含む反応液に、室温で2日間酸素を吹き込んで湿式酸化処理して、沈殿を熟成させた。【００８０】
得られた沈殿物を蒸留水で洗浄して濾別し、蒸留水で分散させた0.25mol炭酸リチウム18.47gとミキサー混合し、均一なスラリーを形成させた。スラリーをテトラフルオロエチレン製シャーレに移し、50℃で2日間乾燥後、粉砕して焼成用原料を作製した。【００８１】
次いで得られた粉末を、1時間かけて650℃まで昇温し、その温度で5時間保持後、炉中で室温付近まで冷却した。粉砕後、再度電気炉を用いて、窒素気流下、1時間かけて850℃まで昇温し、その温度で5時間保持後、炉中で室温付近まで冷却した。つまり、1段階目は大気中、2段階目は窒素雰囲気で焼成することにより、試料作製を行った。電気炉から焼成物を取り出し、過剰のリチウム塩を除去するために、焼成物を蒸留水で水洗し、濾過し、乾燥して目的物である、鉄、ニッケル及びチタン置換Li2MnO3を粉末状生成物として得た。【００８２】
X線回折による評価
この最終生成物の実測（+）及び計算（実線）X線回折パターンを図１に示す。リートベルト解析プログラムRIETAN-FPによる解析結果より、すべてのピークは以下の表１に記載の格子定数で指数付けでき、単斜晶Li2MnO3の単位胞（C2/m）を有する結晶相のみからなることがわかった。また、表２の構造内遷移金属イオン分布を確認すると、実施例1の試料は後述するTiを含まない比較例1の試料と比較してLi−Mn層内遷移金属量が少なく、Li単独層内遷移金属量が多いことがわかり、Ti導入により遷移金属イオンが不規則配列しやすい傾向にあることがわかる。また実施例1の試料は後述するTiを含まない比較例1の試料と比較して六角網目規則配列度が高いことがわかる。【００８３】
化学分析等による評価
化学分析より、リチウム以外の全金属量に対するFe、Ni、Ti含有量がそれぞれ仕込み量である10mol%と10mol%（y値0.20相当）、20mol%（z値0.20相当）を維持しており、Li/(M1+M2+Mn)比も1.68（x値換算0.254）であることから目的の組成式Li1+x(M1yM2zMn1-y-z)1-xO2を有するリチウムマンガン系複合酸化物が得られたことが明らかである。【００８４】
充放電特性評価
詳細は後述する充放電特性評価に記載の手順で、得られた試料を正極材料とし、金属リチウムを負極材料としたリチウム二次電池を作製し、活性化処理、サイクル試験を行った。【００８５】
図２及び表４の結果から、実施例1の試料は活性化後には240mAh/g近い充放電容量を示すのみならず、後述するM2元素を含まず、同一作製条件で得られた比較例1の試料と比較して、活性化処理後1サイクル時の充放電特性がほぼ同等であるばかりでなく、活性化処理後50サイクルまで、活性化処理後20サイクル時と類似した充放電曲線を示している。つまり、活性化処理後50サイクル放電時に層状岩塩型構造からスピネル相への構造転移に伴う3.7V付近からの急激な電位の落ち込みや、層状岩塩型構造からLi2(Ni,Mn)O2相への構造転移に伴う2.2V以下での付加的な容量の出現が全く見られないことから、高容量と長期サイクル特性に優れた正極材料であることが明らかである。【００８６】
［比較例1］
出発原料として、硝酸鉄(III)9水和物10.10g、硝酸ニッケル(II)6水和物7.27g、塩化マンガン(II)4水和物39.58g（全量0.25mol、Fe: Ni: Mnモル比1: 1: 8）を500mLの蒸留水に加え完全に溶解させた。それ以降は実施例1と同様に正極材料作製を行った。【００８７】
この最終生成物の実測（+）及び計算（実線）X線回折パターンを図３に示す。リートベルト解析プログラムRIETAN-FPによる解析結果より、すべてのピークは後述の表１にある格子定数で指数付けでき、単斜晶Li2MnO3の単位胞（C2/m）を有する結晶相のみからなることがわかった。【００８８】
また、化学分析より、リチウム以外の全金属量に対するFe、Ni含有量がそれぞれ仕込み量である10mol%と10mol%（y値0.20相当）を維持しており、Li/(M1+Mn)比も1.71（x値換算0.262）であることからM2を含まない組成式Li1+x(M1yMn1-y)1-xO2を有するリチウムマンガン系複合酸化物が得られたことが明らかである。【００８９】
さらに、詳細は後述する充放電特性評価に記載の手順で、得られた試料を正極材料とし、金属リチウムを負極材料としたリチウム二次電池を作製し、活性化処理、サイクル試験を行った。充放電特性の評価結果を図４及び表３に示す。図４及び表３より比較例1の試料は活性化後には250mAh/g近い充放電容量を示すが、活性化処理後50サイクル放電時には、層状岩塩型構造からスピネル相への構造転移に伴う3.7V付近からの急激な電位の落ち込みや、層状岩塩型構造からLi2(Ni,Mn)O2相への構造転移に伴う2.2V以下での付加的な容量の出現が見られることから、実施例1のリチウムマンガン系複合酸化物と比較し、長期サイクル特性に劣る正極材料であることが明らかである。【００９０】
［実施例2］
最終焼成雰囲気を大気中とした以外は、実施例1と同様に試料作製を行った。つまり、大気中で2回焼成することにより、試料作製を行った。この最終生成物の実測（+）及び計算（実線）X線回折パターンを図５に示す。リートベルト解析プログラムRIETAN-FPによる解析結果より、すべてのピークは後述の表１にある格子定数で指数付けでき、単斜晶Li2MnO3の単位胞（C2/m）を有する結晶相のみからなることがわかった。【００９１】
また、後述の表２の構造内遷移金属イオン分布を確認すると、実施例2の試料は後述するTiを含まない比較例2の試料と比較してLi−Mn層内遷移金属量が少なく、Li単独層内遷移金属量が多いことがわかり、Ti導入により遷移金属イオンが不規則配列しやすい傾向にあることがわかる。また、実施例2の試料は後述するTiを含まない比較例2の試料と比較して六角網目規則配列度が高いことがわかる。【００９２】
また、化学分析より、リチウム以外の全金属量に対するFe、Ni、Ti含有量がそれぞれ仕込み量である10mol%と10mol%（y値0.20相当）、20mol%（z値0.20相当）を維持しており、Li/(M1+M2+Mn)比も1.72（x値換算0.265）であることから目的の組成式Li1+x(M1yM2zMn1-y-z)1-xO2を有するリチウムマンガン系複合酸化物が得られたことが明らかである。【００９３】
さらに、詳細は後述する充放電特性評価に記載の手順で、得られた試料を正極材料とし、金属リチウムを負極材料としたリチウム二次電池を作製し、活性化処理、サイクル試験を行った。充放電特性の評価結果を図６及び表３に示す。図６及び表３より実施例2の試料は活性化後には240 mAh/g近い充放電容量を示すのみならず、後述するM2元素を含まず、同一作製条件で得られた比較例2の試料と比較して、活性化処理後1サイクル時の充放電特性がほぼ同等であるばかりでなく、活性化処理後50サイクルまで、活性化処理後20サイクル時と類似した充放電曲線を示している。つまり、活性化処理後50サイクル放電時に層状岩塩型構造からスピネル相への構造転移に伴う3.7 V付近からの急激な電位の落ち込みや、層状岩塩型構造からLi2(Ni,Mn)O2相への構造転移に伴う2.2 V以下での付加的な容量の出現が全く見られないことから、高容量と長期サイクル特性に優れた正極材料であることが明らかである。【００９４】
［比較例2］
出発原料として、硝酸鉄(III)9水和物10.10g、硝酸ニッケル(II)6水和物7.27g、塩化マンガン(II)4水和物39.58g（全量0.25mol、Fe: Ni: Mnモル比1: 1: 8）を500mLの蒸留水に加え完全に溶解させた。それ以降は実施例2と同様に正極材料作製を行った。【００９５】
この最終生成物の実測（+）及び計算（実線）X線回折パターンを図７に示す。リートベルト解析プログラムRIETAN-FPによる解析結果より、すべてのピークは後述の表１にある格子定数で指数付けでき、単斜晶Li2MnO3の単位胞（C2/m）を有する結晶相のみからなることがわかった。【００９６】
また、化学分析より、リチウム以外の全金属量に対するFe、Ni含有量がそれぞれ仕込み量である10mol%と10mol%（y値0.20相当）を維持しており、Li/(M1+Mn)比も1.73（x値換算0.267）であることからM2を含まない組成式Li1+x(M1yMn1-y)1-xO2を有するリチウムマンガン系複合酸化物が得られたことが明らかである。【００９７】
さらに、詳細は後述する充放電特性評価に記載の手順で、得られた試料を正極材料とし、金属リチウムを負極材料としたリチウム二次電池を作製し、活性化処理、サイクル試験を行った。充放電特性の評価結果を図８及び表３に示す。図８及び表３より比較例2の試料は活性化後には250mAh/g近い充放電容量を示すが、活性化処理後50サイクル放電時には、層状岩塩型構造からスピネル相への構造転移に伴う3.7V付近からの急激な電位の落ち込みや、層状岩塩型構造からLi2(Ni,Mn)O2相への構造転移に伴う2.2V以下での付加的な容量の出現が見られることから、実施例2のリチウムマンガン系複合酸化物と比較し、長期サイクル特性に劣る正極材料であることが明らかである。【００９８】
［実施例3］
最終焼成条件を900℃、5時間、大気中とした以外は、実施例1と同様に試料作製を行った。つまり、大気中で2回焼成することにより、試料作製を行った。この最終生成物の実測（+）及び計算（実線）X線回折パターンを図９に示す。リートベルト解析プログラムRIETAN-FPによる解析結果より、すべてのピークは後述の表１にある格子定数で指数付けでき、単斜晶Li2MnO3の単位胞（C2/m）を有する結晶相のみからなることがわかった。【００９９】
また、後述の表２の構造内遷移金属イオン分布を確認すると、実施例3の試料は後述するTiを含まない比較例3の試料と比較してLi−Mn層内遷移金属量が少なく、Li単独層内遷移金属量が多いことがわかり、Ti導入により遷移金属イオンが不規則配列しやすい傾向にあることがわかる。また、実施例3の試料は後述するTiを含まない比較例3の試料と比較して六角網目規則配列度が高いことがわかる。【０１００】
また、化学分析より、リチウム以外の全金属量に対するFe、Ni、Ti含有量がそれぞれ仕込み量である10mol%と10mol%（y値0.20相当）、20mol%（z値0.20相当）を維持しており、Li/(M1+M2+Mn)比も1.74（x値換算0.270）であることから目的の組成式Li1+x(M1yM2zMn1-y-z)1-xO2を有するリチウムマンガン系複合酸化物が得られたことが明らかである。【０１０１】
さらに、詳細は後述する充放電特性評価に記載の手順で、得られた試料を正極材料とし、金属リチウムを負極材料としたリチウム二次電池を作製し、活性化処理、サイクル試験を行った。充放電特性の評価結果を図１０及び表３に示す。図１０及び表３より実施例3の試料は活性化後には200mAh/g近い充放電容量を示すのみならず、後述するM2元素を含まず、同一作製条件で得られた比較例3の試料と比較して、活性化処理後1サイクル時の充放電特性がほぼ同等であるばかりでなく、活性化処理後50サイクルまで、活性化処理後20サイクル時と類似した充放電曲線を示している。つまり、活性化処理後50サイクル放電時に層状岩塩型構造からスピネル相への構造転移に伴う3.7V付近からの急激な電位の落ち込みや、層状岩塩型構造からLi2(Ni,Mn)O2相への構造転移に伴う2.2V以下での付加的な容量の出現が全く見られないことから、高容量と長期サイクル特性に優れた正極材料であることが明らかである。【０１０２】
［比較例3］
出発原料として、硝酸鉄(III)9水和物10.10g、硝酸ニッケル(II)6水和物7.27g、塩化マンガン(II)4水和物39.58g（全量0.25mol、Fe: Ni: Mnモル比1: 1: 8）を500mLの蒸留水に加え完全に溶解させた。それ以降は実施例3と同様に正極材料作製を行った。【０１０３】
この最終生成物の実測（+）及び計算（実線）X線回折パターンを図１１に示す。リートベルト解析プログラムRIETAN-FPによる解析結果より、すべてのピークは後述の表１にある格子定数で指数付けでき、単斜晶Li2MnO3の単位胞（C2/m）を有する結晶相のみからなることがわかった。【０１０４】
また、化学分析より、リチウム以外の全金属量に対するFe、Ni含有量がそれぞれ仕込み量である10mol%と10mol%（y値0.20相当）を維持しており、Li/(M1+Mn)比も1.71（x値換算0.262）であることからM2を含まない組成式Li1+x(M1yMn1-y)1-xO2を有するリチウムマンガン系複合酸化物が得られたことが明らかである。【０１０５】
さらに、詳細は後述する充放電特性評価に記載の手順で、得られた試料を正極材料とし、金属リチウムを負極材料としたリチウム二次電池を作製し、活性化処理、サイクル試験を行った。充放電特性の評価結果を図１２及び表３に示す。図１２及び表３より比較例3の試料は活性化後には230mAh/g近い充放電容量を示すが、活性化処理後50サイクル放電時には、層状岩塩型構造からスピネル相への構造転移に伴う3.7V付近からの急激な電位の落ち込みや、層状岩塩型構造からLi2(Ni,Mn)O2相への構造転移に伴う2.2V以下での付加的な容量の出現が見られることから、実施例3のリチウムマンガン系複合酸化物と比較し、長期サイクル特性に劣る正極材料であることが明らかである。【０１０６】
［実施例4］
最終焼成条件を900℃、5時間、窒素気流中とした以外は、実施例1と同様に試料作製を行った。この最終生成物の実測（+）及び計算（実線）X線回折パターンを図１３に示す。リートベルト解析プログラムRIETAN-FPによる解析結果より、すべてのピークは後述の表１にある格子定数で指数付けでき、単斜晶Li2MnO3の単位胞（C2/m）を有する結晶相のみからなることがわかった。【０１０７】
また、後述の表２の構造内遷移金属イオン分布を確認すると、実施例4の試料は後述するTiを含まない比較例4の試料と比較してLi−Mn層内遷移金属量が少なく、Li単独層内遷移金属量が多いことがわかり、Ti導入により遷移金属イオンが不規則配列しやすい傾向にあることがわかる。また、実施例4の試料は後述するTiを含まない比較例4の試料と比較して六角網目規則配列度が高いことがわかる。【０１０８】
また、化学分析より、リチウム以外の全金属量に対するFe、Ni、Ti含有量がそれぞれ仕込み量である10mol%と10mol%（y値0.20相当）、20mol%（z値0.20相当）を維持しており、Li/(M1+M2+Mn)比も1.64（x値換算0.242）であることから目的の組成式Li1+x(M1yM2zMn1-y-z)1-xO2を有するリチウムマンガン系複合酸化物が得られたことが明らかである。【０１０９】
さらに、詳細は後述する充放電特性評価に記載の手順で、得られた試料を正極材料とし、金属リチウムを負極材料としたリチウム二次電池を作製し、活性化処理、サイクル試験を行った。充放電特性の評価結果を図１４及び表３に示す。図１４及び表３より実施例4の試料は活性化後には200mAh/g近い充放電容量を示すのみならず、後述するM2元素を含まず、同一作製条件で得られた比較例4の試料と比較して、活性化処理後1サイクル時の充放電特性がほぼ同等であるばかりでなく、活性化処理後50サイクルまで、活性化処理後20サイクル時と類似した充放電曲線を示している。つまり、活性化処理後50サイクル放電時に層状岩塩型構造からスピネル相への構造転移に伴う3.7V付近からの急激な電位の落ち込みや、層状岩塩型構造からLi2(Ni,Mn)O2相への構造転移に伴う2.2V以下での付加的な容量の出現が全く見られないことから、高容量と長期サイクル特性に優れた正極材料であることが明らかである。【０１１０】
［比較例4］
出発原料として、硝酸鉄(III)9水和物10.10g、硝酸ニッケル(II)6水和物7.27g、塩化マンガン(II)4水和物39.58g（全量0.25mol、Fe: Ni: Mnモル比1: 1: 8）を500mLの蒸留水に加え完全に溶解させた。それ以降は実施例4と同様に正極材料作製を行った。【０１１１】
この最終生成物の実測（+）及び計算（実線）X線回折パターンを図１５に示す。リートベルト解析プログラムRIETAN-FPによる解析結果より、すべてのピークは後述の表１にある格子定数で指数付けでき、単斜晶Li2MnO3の単位胞（C2/m）を有する結晶相のみからなることがわかった。【０１１２】
また、化学分析より、リチウム以外の全金属量に対するFe、Ni含有量がそれぞれ仕込み量である10mol%と10mol%（y値0.20相当）を維持しており、Li/(M1+Mn)比も1.72（x値換算0.265）であることからM2を含まない組成式Li1+x(M1yMn1-y)1-xO2を有するリチウムマンガン系複合酸化物が得られたことが明らかである。【０１１３】
さらに、詳細は後述する充放電特性評価に記載の手順で、得られた試料を正極材料とし、金属リチウムを負極材料としたリチウム二次電池を作製し、活性化処理、サイクル試験を行った。充放電特性の評価結果を図１６及び表３に示す。図１６及び表３より比較例4の試料は活性化後には200mAh/g近い充放電容量を示すが、活性化処理後50サイクル放電時には、層状岩塩型構造からスピネル相への構造転移に伴う3.7V付近からの急激な電位の落ち込みや、層状岩塩型構造からLi2(Ni,Mn)O2相への構造転移に伴う2.2V以下での付加的な容量の出現が見られることから、実施例4のリチウムマンガン系複合酸化物と比較し、長期サイクル特性に劣る正極材料であることが明らかである。【０１１４】
［実施例5］
試料合成、並びに構造及び組成評価
硝酸鉄(III)9水和物10.10g、硝酸ニッケル(II)6水和物7.27g、塩化マンガン(II)4水和物29.69g（全量0.25mol、Fe: Ni: Mnモル比1: 1: 6）を500mLの蒸留水に加え完全に溶解させた。別のビーカーに水酸化ナトリウム50gを秤量し、蒸留水500mLを添加して撹拌しつつ溶解させて水酸化ナトリウム水溶液を作製した。この水酸化ナトリウム水溶液をチタン製ビーカーに入れ、20℃に保たれた恒温槽内に静置した。次いでこの水酸化ナトリウム溶液に、上記金属塩水溶液を約3時間かけて徐々に滴下し、Fe−Ni−Mn沈殿物（共沈物）を形成させた。反応液が完全にアルカリ性になっていることを確認し、撹拌下に共沈物を含む反応液に、室温で2日間酸素を吹き込んで湿式酸化処理して、沈殿を熟成させた。【０１１５】
得られた沈殿物を蒸留水で洗浄して濾別し、蒸留水で分散及び完全に溶解させた水酸化リチウム1水和物20.98g（0.5mol）及びGeO2 5.23g（0.05mol）とミキサー混合し、均一なスラリーを形成させた。スラリーをテトラフルオロエチレン製シャーレに移し、50℃で2日間乾燥後、粉砕して焼成用原料を作製した。【０１１６】
次いで得られた粉末を、1時間かけて650℃まで昇温し、その温度で5時間保持後、炉中で室温付近まで冷却した。粉砕後、再度電気炉を用いて、窒素気流下、1時間かけて900℃まで昇温し、その温度で5時間保持後、炉中で室温付近まで冷却した。電気炉から焼成物を取り出し、過剰のリチウム塩を除去するために、焼成物を蒸留水で水洗し、濾過し、乾燥して目的物である、鉄、ニッケル及びゲルマニウム置換Li2MnO3を粉末状生成物として得た。【０１１７】
X線回折による評価
この最終生成物の実測（+）及び計算（実線）X線回折パターンを図１７に示す。リートベルト解析プログラムRIETAN-FPによる解析結果より、すべてのピークは以下の表１に記載の格子定数で指数付けでき、単斜晶Li2MnO3の単位胞（C2/m）を有する結晶相のみからなることがわかった。また、表２の構造内遷移金属イオン分布を確認すると、実施例5の試料は前述のGeを含まない比較例4の試料と比較してLi−Mn層内遷移金属量が少なく、Li単独層内遷移金属量が多いことがわかり、Ge導入により遷移金属イオンが不規則配列しやすい傾向にあることがわかる。また実施例5の試料は前述するGeを含まない比較例4の試料と比較して六角網目規則配列度が高いことがわかる。【０１１８】
化学分析等による評価
化学分析より、リチウム以外の全金属量に対するFe、Ni、Ge含有量が仕込み量とは異なるものの、それぞれ、12mol%と12mol%（y値0.24相当）、4mol%（z値0.04相当）であり、Li/(M1+M2+Mn)比も1.65（x値換算0.245）であることから目的の組成式Li1+x(M1yM2zMn1-y-z)1-xO2を有するリチウムマンガン系複合酸化物が得られたことが明らかである。なお、含有量が仕込み量からずれたのは、Geが両性金属のために焼成後の水洗時に一部溶出したためと考えられる。しかしながら完全になくなるわけではないので、Ge含有量を増やすためには仕込み量を多めにする等して対応し得る。【０１１９】
充放電特性評価
詳細は後述する充放電特性評価に記載の手順で、得られた試料を正極材料とし、金属リチウムを負極材料としたリチウム二次電池を作製し、活性化処理、サイクル試験を行った。図１８及び表４の結果から、実施例5の試料は活性化後には250mAh/g近い充放電容量を示すのみならず、前述のM2元素を含まず、同一作製条件で得られた比較例4の試料と比較して、活性化処理後1サイクル時の充放電特性が向上しているばかりでなく、活性化処理後50サイクルまで、活性化処理後20サイクル時と類似した充放電曲線を示している。つまり、活性化処理後50サイクル放電時に層状岩塩型構造からスピネル相への構造転移に伴う3.7 V付近からの急激な電位の落ち込みや、層状岩塩型構造からLi2(Ni,Mn)O2相への構造転移に伴う2.2 V以下での付加的な容量の出現が全く見られないことから、高容量と長期サイクル特性に優れた正極材料であることが明らかである。【０１２０】
［試験結果］
X線回折による評価
実施例1〜5及び比較例1〜4で得た試料のX線回折パターンから、リートベルト解析プログラムRIETAN-FP（F. Izumi, K. Momma, "Three-Dimensional Visualization in Powder Diffraction", Solid State Phenomena, Vol. 130, pp. 15-20, 2007）による解析結果より、各試料の格子定数及び格子体積を評価した。結果を表１に示す。なお、表１において、a、b及びcは、それぞれ各軸の長さを示し、βは稜cとaとの間の角を示す。また、Vは格子体積を示す。【０１２１】
【表１】
2018066633.tif 000005
【０１２２】
次に、実施例1〜5及び比較例1〜4で得た試料のX線回折パターンから、各格子位置の遷移金属量を可変とした構造モデルから得られる計算パターンを実測パターンに合わせこむことにより、構造内遷移金属イオン分布を評価した。結果を表２に示す。【０１２３】
なお、公知物質であるLi2MnO3において、Mnイオンが規則配列状態である場合は、六角網目格子構成位置（4g）位置にMnが100%占有し、Li位置である六角網目中心位置（2b）等の他の位置にはMnイオンが存在しないが、実際には、4g位置にMnイオンが100%存在することはなく、一部のMnイオンは3つのLi位置に配置する。表２において、g4gは六角網目格子構成位置（4g）位置のMn占有率を示し、g2bは2b位置のMn占有率を示し、g2cは2c位置のMn占有率を示し、g4hは4h位置のMn占有率を示す。4g位置と2b位置のMn占有率の差（g4g−g2b）が六角網目規則配列度として定義され、大きいほど理想的なLi2MnO3型単斜晶層状岩塩型構造であることを意味する。また、平均値1は、Li−Mn層内の格子位置（4g及び2b位置）における遷移金属元素の平均占有率（元素比(%)）を示し、平均値2は、Li単独層内の格子位置（4h及び2c位置）における遷移金属元素の平均占有率（元素比(%)）を示す。また、全遷移金属量は、単斜晶層状岩塩型構造モデルを用いた際のLi−Mn層内の格子位置（4g及び2b）における遷移金属元素の占有率（元素比(%)）とLi単独層内の格子位置（4h及び2c）における遷移金属元素の占有率（元素比(%)）の和を示す。平均値1が少なく平均値2が大きいほど、遷移金属イオンが不規則配列していることを意味する。【０１２４】
【表２】
2018066633.tif 000006
【０１２５】
化学分析等による評価
実施例1〜5及び比較例1〜4で得た試料について、ICP発光分析により、化学分析を行った。結果を表３に示す。結果を表３に示す。【０１２６】
【表３】
2018066633.tif 000007
【０１２７】
充放電特性評価
実施例1〜5及び比較例1〜4で得られた試料を正極材料として用いて、充放電試験を行った。具体的には、実施例1〜5及び比較例1〜4で得られた試料5mgをアセチレンブラック5mgとよく混合後、ポリテトラフルオロエチレン粉末0.5mgを加えて結着させ、Alメッシュ上に圧着して正極を作製した。得られた正極を120℃で一晩真空乾燥後、グローブボックス内にて、リチウム二次電池を作製した。電解液はLiPF6をエチレンカーボネート（EC）及びジメチルカーボネート（DMC）の混合溶媒（体積比3: 7）に溶解させた溶液を使用し、負極は金属リチウムを用いた。【０１２８】
充放電試験は活性化試料を得るための段階充電処理後、サイクル劣化試験に移行させた。試験は充電開始で行い、2.0−4.8Vの電位範囲、試験温度30℃、電流密度40mA/gで充電容量を80、120、160、200mAh/gの順に増加させてサイクルさせ、5サイクル目は4.8Vまで定電流−定電圧充電（4.8Vにおける電流終止は10mA/g）による活性化処理を行った。なお、段階充電活性化処理は本発明のリチウムマンガン系複合酸化物の充放電特性評価には必須である。特に、M1元素としてFeを含む場合は必須プロセスである。活性化処理後、2.0−4.8Vで定電流充放電にて50サイクルまで評価を行うことにより、サイクル経過に伴う、充放電曲線変化（特に20サイクル経過以降に見られる、相似形形状からの逸脱）を評価した。特に前述したように、活性化処理後50サイクル放電時（54サイクル放電時: 54d）の放電曲線にて、(1) 層状岩塩型構造からスピネル相への構造転移に伴う3.7V付近での急激な電位の落ち込み、(2) Li2(Mn,Ni)O2相への構造転移に伴う2.2V以下における付加的な容量の出現の有無を評価した。結果を図２、４、６、８、１０、１２、１４、１６及び１８、並びに表４に示す。なお、図２、４、６、８、１０、１２、１４、１６及び１８においては、活性化処理後1サイクル充電時の充電曲線（5c）、活性化処理後20サイクル充電時の充電曲線（24c）、活性化処理後50サイクル充電時の充電曲線（54c）、活性化処理後1サイクル放電時の放電曲線（5d）、活性化処理後20サイクル放電時の放電曲線（24d）、及び活性化処理後50サイクル放電時の放電曲線（54d）を示しており、右上がりの曲線が充電、右下がりの曲線が放電に対応する。また、表４において、Q5cは活性化処理後1サイクル充電時の容量、Q5dは活性化処理後1サイクル放電時の容量、Q54dは活性化処理後50サイクル放電時の容量、(Q1d〜Q5dの和)/(Q1c〜Q5cの和)は、段階充電活性化処理中における各サイクルの放電容量の合計を、各サイクルの充電容量の和で除したものである。V5d・aveは活性化処理後1サイクル放電時の初期平均放電電圧を示す。【０１２９】
【表４】
2018066633.tif 000008
【０１３０】
以上の実施例及び比較例から明らかなように、本発明のリチウムマンガン系複合酸化物は、初回に200mAh/g以上の大きな充放電容量を示すのみならず、サイクル経過後に起こる、2つの副反応による結晶構造変化を抑制する、長期サイクル特性に優れる物質であることが確認できた。
【図１】
2018066633.tif 000009
【図２】
2018066633.tif 000010
【図３】
2018066633.tif 000011
【図４】
2018066633.tif 000012
【図５】
2018066633.tif 000013
【図６】
2018066633.tif 000014
【図７】
2018066633.tif 000015
【図８】
2018066633.tif 000016
【図９】
2018066633.tif 000017
【図１０】
2018066633.tif 000018
【図１１】
2018066633.tif 000019
【図１２】
2018066633.tif 000020
【図１３】
2018066633.tif 000021
【図１４】
2018066633.tif 000022
【図１５】
2018066633.tif 000023
【図１６】
2018066633.tif 000024
【図１７】
2018066633.tif 000025
【図１８】
2018066633.tif 000026
【国際調査報告】
2018066633.tif 000027
2018066633.tif 000028
2018066633.tif 000029
2018066633.tif 000030